(57)【特許請求の範囲】
【請求項１】
布製の底面方形袋の側面下端部から直立方形板の収容部を上向に形成し、該収容部の外側布を上記側面の中程から上方に延長し、上記直立方形板の上端縁に形成した切歯を上記外側布の上端から上方に露出し、上記収容部の外側布と上記方形袋の側面との中間開口部において該側面にロールペーパー引出用スリットを上記切歯と平行に形成し、上記直立方形板の裏面から該ペーパーを切歯を越えて外側に牽引し、さらに該ペーパーを下方に引張ることによって該ペーパーをカットするよう形成してなるロールペーパー入れ。
【請求項２】
上方に延長した上記外側布の内面に直立方形板押えテープを張設した請求項１記載のロールペーパー入れ。
【請求項３】
上記方形袋の底面に方形錘を配置した請求項１又は２記載のロールペーパー入れ。
【請求項４】
方形錘の上面にロールペーパー収容箱を配置した請求項１〜３のいずれかに記載のロールペーパー入れ。
【請求項５】
ロールペーパーの芯管内に円筒形錘を配置した請求項１〜４のいずれかに記載のロールペーパー入れ。
【請求項６】
上記方形袋の上部に下げ環を設けた請求項１〜５のいずれかに記載のロールペーパー入れ。
【発明の詳細な説明】
【０００１】
【発明の属する技術分野】
本発明はトイレットペーパー、キッチンペーパー等のロールペーパー取出容器の分野に関するものである。
【０００２】
【従来の技術】
従来、トイレットペーパー及びキッチンペーパー等のロールペーパーはカットして使用するに際し、片手で切り取ることが困難であり、一方の手で回転を止め他方の手でカットした。
【０００３】
又トイレットペーパーでは引出装置が壁に固定してあるため、必要に応じて他の場所に移動し、他の用途に用いることは困難であった。
【０００４】
さらにキッチンペーパーは台所等で露出した状態で芯棒に通して吊るして用いるため不衛生であり、かつロールを片手で固定し、他方の手で牽引してカットしなければならないという問題があった。
【０００５】
【発明が解決しようとする課題】
本発明はロールペーパーをカットする際、一方の手のみで切取ることができ、布袋内に収容した状態で必要に応じ何処でも移動し、台等に置いても、吊り下げても用いられ、かつ清潔に保持することのできるロールペーパー入れを得ることを目的とする。
【０００６】
【課題を解決するための手段】
上記の目的を達成するため本発明は
第１に布製の底面方形袋の側面下端部から直立方形板の収容部を上向に形成し、該収容部の外側布を上記側面の中程から上方に延長し、上記直立方形板の上端縁に形成した切歯を上記外側布の上端から上方に露出し、上記収容部の外側布と上記方形袋の側面との中間開口部において該側面にロールペーパー引出用スリットを上記切歯と平行に形成し、上記直立方形板の裏面から該ペーパーを切歯を越えて外側に牽引し、さらに該ペーパーを下方に引張ることによって該ペーパーをカットするよう形成してなるロールペーパー入れ、
第２に上方に延長した上記外側布の内面に直立方形板押えテープを張設した上記第１発明記載のロールペーパー入れ、
第３に上記方形袋の底面に方形錘を配置した上記第１又は第２発明記載のロールペーパー入れ、
第４に方形錘の上面にロールペーパー収容箱を配置した上記第１〜第３発明のいずれかに記載のロールペーパー入れ、
第５にロールペーパーの芯管内に円筒形錘を配置した上記第１〜第４発明のいずれかに記載のロールペーパー入れ、
第６に上記方形袋の上部に下げ環を設けた上記第１〜第５発明のいずれかに記載のロールペーパー入れ、
によって構成される。
【０００７】
【発明の実施の形態】
底面２が正方形又は長方形袋１を布で縫製する。布には織物、編物、合成樹脂シート等が用いられる。
【０００８】
両側面１’，１’は下部を直立させ上部をほぼ反円弧形に形成して図２に示すように縦断面蒲鉾状とし、
背面を布で閉鎖し、正面をファスナー１３を介して蓋布１４で開閉自在となす。
【０００９】
又、上記正面も布で閉鎖し、半円弧形上部に、半円弧形の曲率中心線ｃの方向に向うファスナーと側面両端に沿って設けたファスナーとにより側面に開閉蓋を形成することができる（図示していない）。
【００１０】
上記方形袋１の少なくとも一方の側面１’下端部１”から厚紙等による直立方形板３（硬化合成樹脂板でもよい）の下部を側面下端部１”まで挿入する収容部４を上向に形成し、
該収容部４の外側布４’を上記側面１’の中程から上方に延長する。
【００１１】
この延長部の上端４”は上記曲率中心線ｃと平行であって、上記直立方形板３の上端縁３’に形成した切歯３”（ジグザグ歯）又は該上端縁３’に接着した合成樹脂製切歯（のこぎり状歯）を上記外側布４’の上端から上方に露出させ、外側布４’の上部内面に直立方形板３の押えテープ７を張設し、該方形板３は外側布４’と押えテープ７との間に挟持することができる（図１）。
【００１２】
上記収容部４の外側布４’と上記方形袋１の側面１’との中間開口部１５において該側面１’に上記方形袋１の内部に収容したロールペーパー５，５’の引出用スリット６を上記曲率中心線ｃと平行に設け、該スリット６から上記中間開口部１５に引出されているロールペーパー５の薄ペーパー５’を片手の指で直立方形板３の裏面から摘み出して該ペーパー５’を切歯３”を越えて外側に牽引し、さらに牽引ペーパー５’を下方に引張ることによって該ペーパー５’は上記切歯３”からカットされる。
【００１３】
上記方形袋１の底面２には雑誌の表紙等の厚密紙を重層圧迫して方形となした錘８（図３（ロ）図）を載置し（図２）、その上面にロールペーパー５の収容箱９を配置し、該箱９内にロールペーパー５又は５’を収容し、引出薄ペーパー５’の一端５”を上記スリット６を経て上記中間部１５に引出す。
【００１４】
ロールペーパー５の芯管１０内には図３（イ）図に示す雑誌の表紙等による厚紙を巻いた厚密紙を挿入して円筒形錘１１としロールペーパー５の浮き上がりを抑制する。
【００１５】
又上記方形袋１の上部に下げ環１２を設け、トイレ、台所、育児室等の任意位置に上記方形袋１を懸垂して片手でロールペーパー５をカットして用いることができる。
【００１６】
食卓等に載置して用いる場合も上記錘１１によってロールペーパー５の上記引出動作中方形袋１が浮上又は移動することはない。
【００１７】
即ち壁に掛けても、置いても使えるし、持ち運び自在であり、片手で切り取ることができる。取り出し口と切歯３”部分の距離（中間開口部１５）を充分にとっている。例えば、取り出し口付近でカットした場合、持ち運んで揺れたりすると、中のロールが回転して紙の先端が本体内部に巻き戻る為、ロールペーパー５が残り少なくなっても片手で切り取りやすいように該ロールペーパー５の芯管１０の中に錘１１を入れている。
【００１８】
布と紙を組み合わせて形を整えている。紙箱、補強厚紙等は、簡単に取り外しができるので洗濯もできる。布地の種類や柄を使い分けることができる。例えば水回りで使う時はビニールコーティング地、子供用にキャラクター柄、和室には和風の柄等、高級な布地から、端切れまで何でも利用できる。
【００１９】
キッチンペーパーに関しては、台所で清潔に使うことができる。食品や食器に直接触れるものであるにも拘わらず、露出状態で置かれていることが多い。
【００２０】
オムツ交換時に使い易い。（育児・介護で）汚物をトイレで処理する場合は、水に溶けない紙は流せないので、トイレットペーパーが適しているが、トイレ以外の場所では使いにくい。
【００２１】
尚図中９’で示すものはロールペーパー収容箱の開閉板、１３’はファスナーのつまみである。
【００２２】
【発明の効果】
本発明は上述のように構成したので任意の位置に移動させて内部に収容したロールペーパーを片手で引出し、片手でカットし得る効果がある。
【００２３】
ロールペーパーを引出す際には底面の錘や芯管内の錘の重量によって上記方形袋が浮き上がるおそれがなく安全にペーパーを切歯でカットすることができる。
【００２４】
又ロールペーパーは上記方形袋内に収容されているため清潔に保持される。
【図面の簡単な説明】
【図１】本発明のロールペーパー入れの斜視図である。
【図２】図１の縦断正面図である。
【図３】（イ）図は円筒形錘の斜視図である。
（ロ）図は方形錘の斜視図である。
【図４】（イ）図はトイレット用ロールペーパー入れの側面図である。
（ロ）図はトイレット用ロールペーパーの斜視図である。
【図５】（イ）図はキッチン用ロールペーパー入れの側面図である。
（ロ）図はキッチン用ロールペーパーの斜視図である。
【符号の説明】
１      底面方形袋
１’    側面
１”    側面下端部
２      底面
３      直立方形板
３’    上端縁
３”    切歯
４      収容部
４’    外側布
５，５’  ロールペーパー
６      引出用スリット
７      押えテープ
８      方形錘
９      収容箱
１０      芯管
１１      円筒形錘
１２      下げ環
【図１】
0003617833.tif 000002
【図２】
0003617833.tif 000003
【図３】
0003617833.tif 000004
【図４】
0003617833.tif 000005
【図５】
0003617833.tif 000006